(57)【要約】【課題】渉外先でのセキュアな現金入出金サービスを低コストかつ簡便に導入可能とする。【解決手段】渉外現金処理システム１０において、渉外用現金の金額情報と手持金庫２００の識別情報を金融機関の所定サーバに送信して登録し、渉外先の顧客に関する認証に成功した場合、入出金内容を含む現金取引要求を所定サーバに送信し、所定管理者による現金取引要求の承認可否判断結果を取得し、承認された現金取引要求に応じた入出金処理を所定サーバに指示し、渉外員の認証に成功した場合、手持金庫２００に解錠指示を送信し、その後持ち帰られた手持金庫２００が格納している現金の金額情報を金融機関の所定サーバに送信し、渉外用現金の金額情報の消込処理を実行する演算装置１０４を備えた渉外端末１００を含む構成とする。【選択図】図２
2015122034.tif 000002
【特許請求の範囲】
【請求項１】
他装置と通信する通信装置と、
金融機関で用意された渉外用現金の金額情報と、当該渉外用現金の装填先となる手持金庫の識別情報とを入力装置で受け付けて、前記金融機関の所定サーバに送信し登録する処理と、
渉外先の顧客による所定口座に関する認証情報の入力を入力装置で受け付け、当該認証情報に基づく認証処理を前記所定サーバに要求し、前記所定サーバより認証成功の応答を受信した場合、前記所定口座に関する入出金内容を入力装置で受け付け、当該入出金内容を含む現金取引要求を前記所定サーバに送信する処理と、
前記現金取引要求を受けた前記所定サーバによる、前記金融機関における所定管理者の端末への取引承認依頼の通知に応じてなされた、前記所定管理者による前記現金取引要求の承認可否判断結果を、前記所定サーバを介して取得する処理と、
前記取得した承認可否判断結果が前記現金取引要求を承認するものであった場合、前記現金取引要求に応じた入出金処理を前記所定サーバに指示すると共に、所定リーダー装置による渉外員の認証情報の読み取り結果を取得し、前記渉外員の認証情報に基づく認証要求を前記所定サーバに送信する処理と、
前記認証要求に対して前記所定サーバから認証成功の結果を受信した場合、前記手持金庫の通信装置に対して解錠指示を送信する処理と、
前記解錠指示により解錠され、現金の入出金が行われた前記手持金庫が前記金融機関に持ち帰られた時点で、当該手持金庫で格納している現金の金額情報を入力装置で受け付けて、当該金額情報と前記手持金庫の識別情報とを前記金融機関の所定サーバに送信し、該当手持金庫に関して前記所定サーバで保持していた前記渉外用現金の金額情報の消込処理を実行する演算装置と、
を備えた渉外端末を含むことを特徴とする渉外現金処理システム。
【請求項２】
他装置と通信する通信装置と、
現金を格納する現金格納庫と、
前記現金格納庫の開閉扉における施錠と解錠を制御するロック機構と、
前記渉外端末からの前記解錠指示を前記通信装置を介して受信し、当該解錠指示の受信に応じて前記ロック機構に対する解錠指令を行って、前記現金格納庫の開閉扉を解錠させる処理を実行する演算装置と、
を備えた手持金庫を更に含むことを特徴とする請求項１に記載の渉外現金処理システム。
【請求項３】
前記金融機関において、前記渉外用現金の用意に伴う回金処理を、前記所定サーバとの間で実行する端末であって、前記渉外用現金に関する回金処理に伴う回金伝票を所定印刷装置にて出力する営業店端末と、
前記営業店端末による回金処理がなされた金額の現金払い出し処理を行う装置であって、前記現金払い出しの内容情報を示す出納レシートを所定印刷装置にて出力する出納機と、
を更に含み、
前記渉外端末の演算装置は、
前記渉外用現金の金額情報と、当該渉外用現金の装填先となる手持金庫の識別情報とを前記所定サーバに送信し登録した際に、当該登録の内容情報を前記所定サーバから受信し、当該内容情報を示す装填帳票を所定印刷装置にて出力する処理を更に実行するものである、
ことを特徴とする請求項２に記載の渉外現金処理システム。
【請求項４】
前記渉外端末の演算装置は、
前記金融機関に持ち帰られた時点で前記手持金庫が格納している現金の金額情報と前記手持金庫の識別情報とを前記金融機関の所定サーバに送信し、前記渉外用現金の金額情報の消込処理を実行した際に、当該消込処理の内容情報を前記所定サーバから受信し、当該内容情報を示す装填帳票を所定印刷装置にて出力する処理を更に実行するものであり、
前記出納機は、
前記金融機関に持ち帰られた前記手持金庫から回収された現金の入金を受け付けた際、当該現金の入金受付内容を示す出納レシートを所定印刷装置にて出力する処理を更に実行するものであり、
前記営業店端末は、
前記金融機関に持ち帰られた前記手持金庫から回収された現金に関する回金処理に伴う回金伝票を所定印刷装置にて出力する処理を更に実行するものである、
ことを特徴とする請求項３に記載の渉外現金処理システム。
【請求項５】
他装置と通信する通信装置を備え、渉外先の顧客に関する現金処理を実行する渉外端末が、
金融機関で用意された渉外用現金の金額情報と、当該渉外用現金の装填先となる手持金庫の識別情報とを入力装置で受け付けて、前記金融機関の所定サーバに送信し登録する処理と、
渉外先の顧客による所定口座に関する認証情報の入力を入力装置で受け付け、当該認証情報に基づく認証処理を前記所定サーバに要求し、前記所定サーバより認証成功の応答を受信した場合、前記所定口座に関する入出金内容を入力装置で受け付け、当該入出金内容を含む現金取引要求を前記所定サーバに送信する処理と、
前記現金取引要求を受けた前記所定サーバによる、前記金融機関における所定管理者の端末への取引承認依頼の通知に応じてなされた、前記所定管理者による前記現金取引要求の承認可否判断結果を、前記所定サーバを介して取得する処理と、
前記取得した承認可否判断結果が前記現金取引要求を承認するものであった場合、前記現金取引要求に応じた入出金処理を前記所定サーバに指示すると共に、所定リーダー装置による渉外員の認証情報の読み取り結果を取得し、前記渉外員の認証情報に基づく認証要求を前記所定サーバに送信する処理と、
前記認証要求に対して前記所定サーバから認証成功の結果を受信した場合、前記手持金庫の通信装置に対して解錠指示を送信する処理と、
前記解錠指示により解錠され、現金の入出金が行われた前記手持金庫が前記金融機関に持ち帰られた時点で、当該手持金庫で格納している現金の金額情報を入力装置で受け付けて、当該金額情報と前記手持金庫の識別情報とを前記金融機関の所定サーバに送信し、該当手持金庫に関して前記所定サーバで保持していた前記渉外用現金の金額情報の消込処理を実行する、
ことを特徴とする渉外現金処理方法。
【発明の詳細な説明】
【技術分野】
【０００１】
本発明は、渉外現金処理システムおよび渉外現金処理方法に関するものであり、具体的には、渉外先でのセキュアな現金入出金サービスを低コストかつ簡便に導入可能とする技術に関する。
【背景技術】
【０００２】
クレジットカードや電子マネー等の普及が著しい昨今であるが、都市部以外では現金による決済形態が未だ比較的大きな割合を占めている。そうした都市部以外の地域のうち金融機関等への移動手段確保が難しい地域、或いは、災害等で各種インフラが寸断された地域などに向け、出金などの各種銀行業務を提供する形態は従来から存在する。こうした、いわゆる渉外活動の中で銀行業務を提供する従来技術の例としては、以下のようなものが提案されている。
【０００３】
すなわち、渉外行員が所持し、顧客の訪問先で操作する渉外モバイル端末と、渉外モバイル端末から送信される取引データの処理を行う渉外モバイルサーバとをネットワークを介して接続し、前記渉外モバイル端末を用いて行う渉外モバイルバンキング方法において、前記渉外モバイルサーバは、渉外行員が顧客の訪問先で行う取引で生じる入出金を記録する渉外口座を管理し、渉外モバイル端末から送信されてくる各種の取引のデータに対して、前述の渉外口座を用いて取引のための情報処理を実施する渉外モバイルバンキング方法（特許文献１参照）などである。
【先行技術文献】
【特許文献】
【０００４】
【特許文献１】特開２００６−１２７３９１号公報
【発明の概要】
【発明が解決しようとする課題】
【０００５】
ここで、通常の取引口座とは別に渉外用の口座を設定してモバイルバンキングを行う手法に対しては、渉外用口座と通常口座との連携管理の煩雑さをより低減するとの課題がある。また、渉外活動で用いる手持金庫との連携をよりセキュアにするとの課題もある。
【０００６】
そこで本発明の目的は、渉外先でのセキュアな現金入出金サービスを低コストかつ簡便に導入可能とする技術を提供することにある。
【課題を解決するための手段】
【０００７】
上記課題を解決する本発明の渉外現金処理システムは、他装置と通信する通信装置と、金融機関で用意された渉外用現金の金額情報と、当該渉外用現金の装填先となる手持金庫の識別情報とを入力装置で受け付けて、前記金融機関の所定サーバに送信し登録する処理と、渉外先の顧客による所定口座に関する認証情報の入力を入力装置で受け付け、当該認証情報に基づく認証処理を前記所定サーバに要求し、前記所定サーバより認証成功の応答を受信した場合、前記所定口座に関する入出金内容を入力装置で受け付け、当該入出金内容を含む現金取引要求を前記所定サーバに送信する処理と、前記現金取引要求を受けた前記所定サーバによる、前記金融機関における所定管理者の端末への取引承認依頼の通知に応じてなされた、前記所定管理者による前記現金取引要求の承認可否判断結果を、前記所定サーバを介して取得する処理と、前記取得した承認可否判断結果が前記現金取引要求を承認するものであった場合、前記現金取引要求に応じた入出金処理を前記所定サーバに指示すると共に、所定リーダー装置による渉外員の認証情報の読み取り結果を取得し、前記渉外員の認証情報に基づく認証要求を前記所定サーバに送信する処理と、前記認証要求に対して前記所定サーバから認証成功の結果を受信した場合、前記手持金庫の通信装置に対して解錠指示を送信する処理と、前記解錠指示により解錠され、現金の入出金が行われた前記手持金庫が前記金融機関に持ち帰られた時点で、当該手持金庫で格納している現金の金額情報を入力装置で受け付けて、当該金額情報と前記手持金庫の識別情報とを前記金融機関の所定サーバに送信し、該当手持金庫に関して前記所定サーバで保持していた前記渉外用現金の金額情報の消込処理を実行する演算装置とを備えた渉外端末を含むことを特徴とする。
【０００８】
また、本発明の渉外現金処理方法は、他装置と通信する通信装置を備え、渉外先の顧客に関する現金処理を実行する渉外端末が、金融機関で用意された渉外用現金の金額情報と、当該渉外用現金の装填先となる手持金庫の識別情報とを入力装置で受け付けて、前記金融機関の所定サーバに送信し登録する処理と、渉外先の顧客による所定口座に関する認証情報の入力を入力装置で受け付け、当該認証情報に基づく認証処理を前記所定サーバに要求し、前記所定サーバより認証成功の応答を受信した場合、前記所定口座に関する入出金内容を入力装置で受け付け、当該入出金内容を含む現金取引要求を前記所定サーバに送信する処理と、前記現金取引要求を受けた前記所定サーバによる、前記金融機関における所定管理者の端末への取引承認依頼の通知に応じてなされた、前記所定管理者による前記現金取引要求の承認可否判断結果を、前記所定サーバを介して取得する処理と、前記取得した承認可否判断結果が前記現金取引要求を承認するものであった場合、前記現金取引要求に応じた入出金処理を前記所定サーバに指示すると共に、所定リーダー装置による渉外員の認証情報の読み取り結果を取得し、前記渉外員の認証情報に基づく認証要求を前記所定サーバに送信する処理と、前記認証要求に対して前記所定サーバから認証成功の結果を受信した場合、前記手持金庫の通信装置に対して解錠指示を送信する処理と、前記解錠指示により解錠され、現金の入出金が行われた前記手持金庫が前記金融機関に持ち帰られた時点で、当該手持金庫で格納している現金の金額情報を入力装置で受け付けて、当該金額情報と前記手持金庫の識別情報とを前記金融機関の所定サーバに送信し、該当手持金庫に関して前記所定サーバで保持していた前記渉外用現金の金額情報の消込処理を実行することを特徴とする。なお、本発明の適用は、都市部以外や災害地に限定されるものではない。
【発明の効果】
【０００９】
本発明によれば、渉外先でのセキュアな現金入出金サービスを低コストかつ簡便に導入可能となる。
【図面の簡単な説明】
【００１０】
【図１】本実施形態の渉外現金処理システムを含むネットワーク構成図である。
【図２】本実施形態の渉外現金処理システムにおけるタブレット端末のハードウェア構成例を示す図である。
【図３】本実施形態の渉外現金処理システムにおける手持金庫のハードウェア構成例を示す図である。
【図４】本実施形態における生体認証テーブルの構成例を示す図である。
【図５】本実施形態における元帳データベースの構成例を示す図である。
【図６】本実施形態の渉外現金処理方法の処理手順例１を示すフロー図である。
【図７】本実施形態の渉外現金処理方法の処理手順例２を示すフロー図である。
【図８】本実施形態の渉外現金処理方法の処理手順例３を示すフロー図である。
【図９】本実施形態における出力画面例１を示す図である。
【図１０】本実施形態における出力画面例２を示す図である。
【発明を実施するための形態】
【００１１】
−−−システム構成−−−
以下に本発明の実施形態について図面を用いて詳細に説明する。図１は、本実施形態の渉外現金処理システム１０を含むネットワーク構成図である。図１に示す渉外現金処理システム１０は、渉外先でのセキュアな現金入出金サービスを低コストかつ簡便に導入可能とするコンピュータシステムである。本実施形態における渉外現金処理システム１０は、金融機関が運営するコンピュータシステムであり、渉外員が携行する渉外端末たるタブレット端末１００と、この渉外員がタブレット端末１００と共に携行する手持金庫２００を少なくとも含んでいる。なお本実施形態では、渉外端末の例としてタブレット端末１００を示すが、ノートＰＣやスマートフォン、或いはフィーチャーフォンなど、携行可能な情報処理端末であり、本実施形態の渉外現金処理システム１０として必要な機能を実装できる端末であれば、装置種類は問わない。
【００１２】
上述したタブレット端末１００と手持金庫２００は、ｂｌｕｅｔｏｏｔｈ（登録商標）などインフラレスでの近距離無線通信を可能とするプロトコルに沿った適宜な通信手段によって結ばれ、互いに通信相手を固定しつつデータ授受可能である。また、タブレット端末１００は、金融機関が構築しているＶＰＮ（Ｖｉｒｔｕａｌ  Ｐｒｉｖａｔｅ  Ｎｅｔｗｏｒｋ）などセキュアな広域回線網２０にアクセスして、金融機関の営業店サーバ３００と接続可能である。また、この営業店サーバ３００は、上述のようにタブレット端末１００と通信可能であると共に、金融機関におけるＬＡＮなど適宜な内部ネットワーク３０と接続し、営業店端末３５０、勘定系ホスト４００、および役席端末５００らとも通信可能となっている。これら営業店サーバ３００、営業店端末３５０、勘定系ホスト４００、および役席端末５００については後述する。また、こうした金融機関の営業店内には、営業店内で回金処理対象となる現金の出し入れを行う出納機３６０が備わっている。この出納機３６０は、従来の出納機と同様の構成、機能を備えた機器となる。
【００１３】
ここで、上述の渉外現金処理システム１０を構成する各装置のハードウェア構成について説明する。図２は本実施形態の渉外現金処理システム１０におけるタブレット端末１００のハードウェア構成例を示す図である。タブレット端末１００は、ＳＳＤ（Ｓｏｌｉｄ  Ｓｔａｔｅ  Ｄｒｉｖｅ）やハードディスクドライブなど適宜な不揮発性記憶装置で構成される記憶装置１０１、ＲＡＭなど揮発性記憶装置で構成されるメモリ１０３、記憶装置１０１に保持されるプログラム１０２をメモリ１０３に読み出すなどして実行し装置自体の統括制御を行なうとともに各種判定、演算及び制御処理を行なうＣＰＵなどの演算装置１０４、ユーザからの入力を受け付け、処理データの表示を行うタッチパネル等の入出力装置１０５、他装置との通信処理を担う通信装置１０６、を備える。なお、入出力装置１０５ではなく、入力装置と出力装置とが別個に備わっているとしてもよい。また、通信装置１０６は、近距離無線通信用のインターフェイスと、広域回線網アクセス用のインターフェイスとを別々に備えている。また、タブレット端末１００は、上述の通信装置１０６ないし所定のインターフェイスを介して、携帯型プリンタ等の印刷装置１５０と接続可能である。
【００１４】
また、渉外現金処理システム１０を上述のタブレット端末１００と共に構成する手持金庫２００は、タブレット端末１００と同様に、一般的な情報処理装置としての構成、すなわち、不揮発性記憶装置で構成される記憶装置２０１、揮発性記憶装置で構成されるメモリ２０３、記憶装置２０１のプログラム２０２をメモリ２０３に読み出して実行する演算装置２０４、入力装置２０５、出力装置２０６、タブレット端末１００との通信処理を担う通信装置２０７を備える。
【００１５】
図３は本実施形態の渉外現金処理システム１０における手持金庫２００のハードウェア構成例を示す図である。また、手持金庫２００は、金融機関の営業店内で用意された渉外用現金を格納する現金格納庫２１０と、この現金格納庫２１０の開閉扉２１１における施錠と解錠を制御するロック機構２１５とを備えている。このロック機構２１５は、演算装置２０４から送られてくる解錠指令を受けて、現金格納庫２１０の開閉扉２１１の解錠動作を行う機構である。ロック機構２１５による解錠動作は、手持金庫２００に備わる錠の種類に応じて適宜定まるものであるが、一例としては、上述の開閉扉２１１の開放を妨げていた所定部材を、モータやシリンダ等とギヤやピニオン等とを組み合わせた駆動装置により所定距離だけ移動させる、或いは、所定凹部にバネ等の付勢力で係合していた部材を、該当付勢力を解消することで係合状態から解放するといった動作を想定出来る。この他にも、ロック機構２１５は、好ましくは所謂オートロック機能を備えており、上述の解錠指令を受けて解錠され、一旦開放された開閉扉２１１が、現金格納庫２１０を閉じる状態に位置したことをセンサ２１６で検知し、この検知に応じて上述の解錠動作とは逆の施錠動作を実行する。
【００１６】
なお、手持金庫２００は、金融機関の渉外員が営業車両に運び込んで、渉外先でも手持ちで携行できる程度のサイズおよび重量となっている。
【００１７】
続いて、本実施形態の渉外現金処理システム１０が備える機能について説明する。上述したように、以下に説明する機能は、例えば渉外現金処理システム１０を構成する各装置すなわちタブレット端末１００および手持金庫２００らがそれぞれ備えるプログラムを実行することで実装される機能と言える。
【００１８】
なお、渉外員が手持金庫２００を携行して渉外先に出向く前、金融機関の営業店内において、営業店端末３５０を操作して規定の回金処理オペレーションを実行する。この営業店端末３５０は、営業店において上述の渉外員等の行員が操作する端末であって、本実施形態においては、渉外用現金の用意に伴う回金処理を、営業店サーバ３００を介した勘定系ホスト４００との間で実行する機能を特に備えた端末となる。こうした営業店端末３５０は、渉外用現金に関する回金処理に伴う回金伝票を、自身の備える、或いは所定インターフェイスを介して接続された印刷装置３５５にて出力する機能を備えている。この回金伝票は、営業店における所定管理者に手交される。
【００１９】
また、上述の営業店内で回金オペレーションを実行した渉外員は、店内の出納機３６０を操作し、回金処理を済ませた金額分の渉外用現金の払い出しを行うことになる。出納機３６０は、上述のように渉外員の操作によって営業店端末３５０による回金処理がなされた金額の現金払い出し処理を行う装置であり、現金払い出しに伴って、その内容情報を示す出納レシートを、自身の備える、或いは所定インターフェイスを介して接続された印刷装置３６５にて出力する機能を備えている。この出納レシートは、営業店における所定管理者に手交される。
【００２０】
一方、タブレット端末１００は、上述の営業店内における回金処理オペレーションで用意された渉外用現金の金額情報と、当該渉外用現金の装填先となる手持金庫２００の識別情報とを、該当手持金庫２００を用いた渉外活動を予定する渉外員から入出力装置１０５で受け付け、これを、例えば営業店内の内部ネットワークを介して営業店サーバ３００に送信し、当該営業店サーバ３００を介して勘定系ホスト４００に登録させる機能を備えている。
【００２１】
なお、上述の渉外用現金の金額情報と手持金庫２００の識別情報とをタブレット端末１００から受信した営業店サーバ３００は、これを内部ネットワーク３０を介して勘定系ホスト４００に送信する。これを受信した勘定系ホスト４００は、該当営業店で保持する現金のうち、上述の渉外用現金の金額分の現金が手持金庫２００に装填される事象について記憶装置に登録し、その登録内容について営業店サーバ３００に返す。一方、営業店サーバ３００は勘定系ホスト４００から返ってきた上述の登録内容の情報を、タブレット端末１００に転送することとなる。
【００２２】
この場合、タブレット端末１００は、上述のように、渉外員が入力した渉外用現金の金額情報と、当該渉外用現金の装填先となる手持金庫２００の識別情報とを営業店サーバ３００を介して勘定系ホスト４００に送信し登録した際に、当該勘定系ホスト４００における登録内容の情報を営業店サーバ３００を介して受信し、当該情報を示す装填帳票を、自身の備える、或いは所定インターフェイスを介して接続された印刷装置１５０にて出力する機能を備えている。この装填帳票は、営業店における所定管理者に手交される。
【００２３】
ここまでの処理により、上述した所定管理者は、回金伝票、出納機レシート、および装填帳票を手にしていることになる。この管理者は、回金伝票、出納機レシート、および装填帳票の印字内容を認識し、その金額推移の整合性についてチェックする。つまり、どこかの手順にて現金が紛失していないか数値により確認することが出来る。
【００２４】
また、タブレット端末１００は、上述の渉外員により手持金庫２００と共に渉外先まで携行された後、その渉外先の顧客による、所定口座に関する例えば暗証番号（認証情報）の入力を入出力装置１０５で受け付け、上述の所定口座に対する当該暗証番号を含む顧客認証要求を、営業店サーバ３００を介して勘定系ホスト４００に送信する機能を備えている。
【００２５】
なお、上述の顧客認証要求をタブレット端末１００から受信した営業店サーバ３００は、これを内部ネットワーク３０を介して勘定系ホスト４００に送信する。一方、これを受信した勘定系ホスト４００は、口座情報と暗証番号のセットを、元帳データベース４２５に照合し、元帳データベース４２５にて上述のセットと完全一致するデータ有無を判定する。元帳データベース４２５は、金融機関の顧客に関する保有口座の各種情報（例：店番、種別、口座番号、顧客識別情報、暗証番号、残高等）を少なくとも保持するデータベースである。勘定系ホスト４００は、上述の判定結果を認証処理結果として営業店サーバ３００に返す。一方、営業店サーバ３００は勘定系ホスト４００から返ってきた上述の認証処理結果を、タブレット端末１００に転送することとなる。
【００２６】
また、タブレット端末１００は、この勘定系ホスト４００で実行された認証処理結果を営業店サーバ３００から受信し、その認証処理結果が認証成功の応答であった場合、上述の所定口座に関する入出金内容を入出力装置１０５で該当顧客から受け付け、当該入出金内容が示す所定口座に関する入出金額の情報を含む現金取引要求を、営業店サーバ３００を介して勘定系ホスト４００に送信する機能を備えている。
【００２７】
この場合、上述の現金取引要求をタブレット端末１００から受信した営業店サーバ３００は、例えば上述の渉外員の上司である役席者の端末、すなわち役席端末５００に対し、上述の現金取引要求に関する適正性の判断を依頼する、取引承認依頼を通知する。役席端末５００にて取引承認要求を閲覧した役席者は、その内容が示す現金取引要求について、金融機関での所定ルールに適合したものかチェックし、その結果を承認可否判断結果として役席端末５００から営業店サーバ３００に返信する。一方、営業店サーバ３００は、役席端末５００からの承認可否判断結果を受信し、これをタブレット端末１００に返す。
【００２８】
他方、タブレット端末１００は、営業店サーバ３００より上述の承認可否判断結果を取得し、この承認可否判断結果が該当現金取引要求を承認するものであった場合、この現金取引要求が示す該当顧客の所定口座に関する入出金の処理を、営業店サーバ３００を介して勘定系ホスト４００に指示する機能を備えている。
【００２９】
一方、営業店サーバ３００は、上述した入出金の処理に関するタブレット端末１００からの指示を受信し、これを内部ネットワーク３０を介して勘定系ホスト４００に送信する。一方、これを受信した勘定系ホスト４００は、この指示、すなわち現金取引要求が示す所定口座に関し、同じく現金取引要求が示す額の入出金の処理を、上述の元帳データベース４２５において実行する。勘定系ホスト４００は、上述の元帳データベース４２５における入出金の処理結果を営業店サーバ３００に返す。一方、営業店サーバ３００は勘定系ホスト４００から返ってきた上述の入出力処理の結果を、タブレット端末１００に転送することとなる。
【００３０】
なお、タブレット端末１００は、上述した承認可否判断結果が該当現金取引要求を承認するものであった場合に、入出金の処理を営業店サーバ３００を介して勘定系ホスト４００に指示する処理に合わせて、当該タブレット端末１００に備わる、或いは所定インターフェイスを介して接続されたリーダー装置１４０による渉外員の生体情報（認証情報）の読み取り結果を取得し、この渉外員の生体情報に関する渉外員認証要求を営業店サーバ３００に送信する機能を備えている。
【００３１】
この場合、営業店サーバ３００は、生体認証処理を実行するための生体認証プログラム３１０を記憶装置にて保持し、これを実行することで生体認証機能を実装できる。また、記憶装置には他にも生体認証テーブル３２５を保持している。生体認証テーブル３２５は、各渉外員の生体情報（手指の静脈パターン、虹彩、声紋、筆跡等）を、少なくとも該当渉外員が渉外活動に赴く前に予め格納したテーブルである。従って、上述のようにタブレット端末１００から渉外員認証要求を受信した営業店サーバ３００は、生体認証機能を起動させ、渉外員認証要求が含む生体情報を生体認証テーブル３２５に照合して、一致するレコードの有無を判定し、その判定結果を認証結果としてタブレット端末１００に返す。
【００３２】
また、タブレット端末１００は、上述の渉外員認証要求に対して営業店サーバ３００から認証成功の結果を受信した場合、手持金庫２００の通信装置２０７に対して解錠指示を送信する機能を備えている。
【００３３】
他方、手持金庫２００は、上述のタブレット端末１００からの解錠指示を通信装置２０７を介して受信し、当該解錠指示の受信に応じてロック機構２１５に対する解錠指令を行って、現金格納庫２１０の開閉扉２１１を解錠させる機能を備えている。開閉扉２１１が解錠され、開放自在となった現金格納庫２１０においては、上述の渉外員が、顧客からの現金取引要求に応じた金額の現金を取り出すか、或いは入庫させる。こうした渉外先での現金の引き出しや預け入れ等の処理を終えた渉外員は、タブレット端末１００と共に手持金庫２００を車両等に積み込み、営業店に帰店することになる。
【００３４】
顧客先から営業店に持ち帰られたタブレット端末１００は、手持金庫２００が現時点で格納している残り現金の回金処理のため、当該手持金庫２００で格納している現金の金額情報を渉外員から入出力装置１０５で受け付けて、当該金額情報と手持金庫２００の識別情報とを営業店サーバ３００を介して勘定系ホスト４００に送信し、該当手持金庫２００に関して勘定系ホスト４００で保持していた渉外用現金の金額情報の消込処理を実行する機能を備えている。
【００３５】
この場合、タブレット端末１００から上述の残り現金に関する金額情報と手持金庫２００の識別情報を受信した営業店サーバ３００は、これを内部ネットワーク３０を介して勘定系ホスト４００に送信する。これを受信した勘定系ホスト４００は、該当手持金庫２００に装填された渉外用現金の金額（渉外先に渉外員が赴く前に勘定系ホスト４００に登録された金額）に関し、上述の現金取引要求に応じて処理した引き出し金額を減算、ないし預け入れの金額を加算した額に対して、上述の手持金庫２００における残り現金の金額を消し込み処理する。この処理が齟齬無く成功裏に完了することは、営業店の現金のうち顧客からの現金取引要求に応じて渉外先で手持金庫２００から引き出された現金以外、すなわち手持金庫２００での残り現金が間違いなく営業店に回金されたことを意味する。
【００３６】
また、タブレット端末１００は、上述した勘定系ホスト４００における消込処理の内容情報を、営業店サーバ３００を介して受信し、当該内容情報を示す装填帳票を、自身の備える、或いは所定インターフェイスを介して接続された印刷装置１５０にて出力する機能を備えている。この装填帳票は、営業店における所定管理者に手交される。
【００３７】
上述の渉外員は、営業店における持ち帰った手持金庫２００から残り現金を実際に取り出し、これを営業店の出納機３６０に入金する作業を行う必要がある。そこで、この渉外員は手持金庫２００を解錠すべく、まず、タブレット端末１００を操作して、当該渉外員の生体情報（認証情報）の読み取り動作と、これに基づく渉外員認証要求の指示を行うことになる。
【００３８】
この場合、タブレット端末１００は、上述したリーダー装置１４０による該当渉外員の生体情報（認証情報）の読み取り結果を取得し、この渉外員の生体情報に関する渉外員認証要求を内部ネットワーク３０を介して営業店サーバ３００に送信する機能を備えている。
【００３９】
一方、タブレット端末１００から渉外員認証要求を受信した営業店サーバ３００は、渉外員認証要求が含む生体情報を生体認証テーブル３２５に照合して、一致するレコードの有無を判定し、その判定結果を認証結果としてタブレット端末１００に返す。
【００４０】
また、タブレット端末１００は、上述の渉外員認証要求に対して営業店サーバ３００から認証成功の結果を受信した場合、手持金庫２００の通信装置２０７に対して解錠指示を送信する機能を備えている。この解錠指示に応じて開閉扉２１１を開放した手持金庫２００から、渉外員は残り現金を取り出すことが出来る。
【００４１】
残り現金を手持金庫２００から取り出した渉外員は、これを出納機３６０に入金することになる。出納機３６０は、上述の渉外員の操作により、渉外先から持ち帰られた残り現金の入金を受け付けた際、当該現金の入金受付内容を示す出納レシートを、上述の印刷装置３６５にて出力する機能を更に備えている。この出納機レシートは、営業店における所定管理者に手交される。
【００４２】
残り現金を出納機３６０に入金した渉外員は、上述した営業店端末３５０を再び操作して、営業店に持ち帰られた上述の手持金庫２００から回収された現金、すなわち残り現金に関する回金処理を行う。この時、営業店端末３５０は、渉外員による残り現金に関する回金処理に伴って、印刷装置３５５にて回金伝票を出力する機能も備えている。この回金伝票は、営業店における所定管理者に手交される。
【００４３】
渉外員が営業店に帰店して以降、ここまでの処理により、上述した所定管理者は、回金伝票、出納機レシート、および装填帳票を手にしていることになる。この管理者は、回金伝票、出納機レシート、および装填帳票の印字内容を認識し、その金額推移の整合性についてチェックする。つまり、どこかの手順にて現金が紛失していないか数値により確認することが出来る。
【００４４】
なお、上述した営業店サーバ３００、出納機３６０、勘定系ホスト４００らは、いずれも一般的な情報処理装置としてのハードウェア構成を備えており、本実施形態に特有の情報処理要求に応答する処理を実行する機能の他、金融機関における従来システムと同様の機能を少なくとも備えている。
【００４５】
−−−データ構造例−−−
次に、本実施形態において利用されるテーブルやデータベースのデータ構造例について説明する。図４は本実施形態における生体認証テーブル３２５の構成例を示す図である。まず、営業店サーバ３００が保持する生体認証テーブル３２５は、渉外員の社員ＩＤといった識別情報をキーとして、該当渉外員について事前に取得している生体情報（手指の静脈パターン、虹彩、声紋、筆跡等）を対応付けたレコードの集合体となっている。好ましくは、各渉外員が渉外活動に赴く直前に、営業店内にて生体情報の登録動作を行って、この生体認証テーブル３２５でのレコード生成を行い、その一方で、該当渉外員が営業店における帰店し、一連の回金オペレーションを完了したタイミングで該当レコードの削除を行うとすれば、上司等が認めている渉外活動時間中のみ渉外員の生体認証が可能となり、セキュリティ管理の面で好適である。
【００４６】
図５は本実施形態における元帳データベース４２５の構成例を示す図である。この元帳データベース４２５は、勘定系ホスト４００が顧客に関する保有口座の各種情報を保持、管理するデータベースであり、例えば、店番、口座種別、および口座番号をキーとして、該当口座の保有者たる顧客の識別情報、暗証番号、および残高などといったデータを対応付けたレコードの集合体となっている。勿論、それ以外の金融商品の情報が保持されているとしてもよい。
【００４７】
−−−処理手順例１−−−
以下、本実施形態における渉外現金処理方法の実際手順について図に基づき説明する。以下で説明する渉外現金処理方法に対応する各種動作は、渉外現金処理システム１０を構成するタブレット端末１００および手持金庫２００がメモリ等に読み出して実行するプログラムによって実現される。そして、このプログラムは、以下に説明される各種の動作を行うためのコードから構成されている。
【００４８】
図６は、本実施形態における渉外現金処理方法の処理手順例１を示すフロー図である。ここではまず、金融機関の営業店における渉外前準備に伴う処理について説明する。なお、理解の容易化のため、渉外現金処理システム１０を構成するタブレット端末１００および手持金庫２００における処理のみならず、これらと協働する装置における処理についても適宜説明する。また、既に上述したとおり、渉外員が手持金庫２００を携行して渉外先に出向く前、金融機関の営業店内において、規定の回金処理オペレーション、出納機３６０からの渉外用現金の払い出しは実行され、回金伝票と出納レシートは、営業店における所定管理者に手交されているものとする。
【００４９】
この場合、タブレット端末１００は、上述の営業店内における回金処理オペレーションで用意された渉外用現金の金額情報と、当該渉外用現金の装填先となる手持金庫２００の識別情報とを、該当手持金庫２００を用いた渉外活動を予定する渉外員から入出力装置１０５で受け付ける（ｓ１００）。
【００５０】
また、タブレット端末１００は、上述のステップｓ１００で受け付けた渉外用現金の金額情報および手持金庫２００の識別情報を、内部ネットワーク３０を介して営業店サーバ３００に送信する（ｓ１０１）。
【００５１】
一方、上述の渉外用現金の金額情報と手持金庫２００の識別情報とをタブレット端末１００から受信した営業店サーバ３００は、これを内部ネットワーク３０を介して勘定系ホスト４００に送信する（ｓ１０２）。他方、これを受信した勘定系ホスト４００は、該当営業店で保持する現金のうち、上述の渉外用現金の金額分の現金が手持金庫２００に装填される事象について記憶装置に登録し、その登録内容について営業店サーバ３００に返す（ｓ１０３）。またこの時、営業店サーバ３００は、上述の勘定系ホスト４００から返ってきた、渉外用現金の金額情報と手持金庫２００の識別情報に関する勘定系ホスト４００での登録内容の情報を、タブレット端末１００に転送する（ｓ１０４）。
【００５２】
タブレット端末１００は、営業店サーバ３００が転送してきた、勘定系ホスト４００における、渉外用現金の金額情報と手持金庫２００の識別情報とに関する登録内容の情報を受信し（ｓ１０５）、当該受信した情報を印刷装置１５０に送信して装填帳票を出力させる（ｓ１０６）。この装填帳票は、営業店における所定管理者に手交される。
【００５３】
営業店内におけるここまでの処理により、上述した管理者は、回金伝票、出納機レシート、および装填帳票を手にし、これらの印字内容を認識して、その金額推移の整合性についてチェックする。つまり、どこかの手順にて現金が紛失していないか数値により確認することが出来る。
【００５４】
また渉外員は、上述までの作業で得た渉外用現金を手持金庫２００に入庫させるべく、タブレット端末１００における所定の生体認証機能を起動させ、リーダー装置１４０による渉外員の生体情報（認証情報）の読み取り動作を実行する。
【００５５】
この時、タブレット端末１００は、リーダー装置１４０から該当渉外員の生体情報を取得し、この渉外員の生体情報に関する渉外員認証要求を営業店サーバ３００に送信する（ｓ１０７）。
【００５６】
この場合、営業店サーバ３００は、タブレット端末１００から上述の渉外員認証要求を受信して、生体認証機能を起動させ、渉外員認証要求が含む生体情報を生体認証テーブル３２５に照合して、一致するレコードの有無を判定し、その判定結果を認証結果としてタブレット端末１００に返す（ｓ１０８）。
【００５７】
続いてタブレット端末１００は、上述の渉外員認証要求に対する認証結果を受信し、これが認証成功の結果であった場合（ｓ１０９：ＯＫ）、手持金庫２００の通信装置２０７に対して解錠指示を送信する（ｓ１１０）。他方、認証結果が認証不成功の結果であった場合（ｓ１０９：ＮＧ）、タブレット端末１００は処理を終了する。
【００５８】
一方、タブレット端末１００から解錠指示を受けた手持金庫２００は、その解錠指示の受信に応じてロック機構２１５に対する解錠指令を行い、現金格納庫２１０の開閉扉２１１を解錠させる（ｓ１１１）。開閉扉２１１が解錠され、開放自在となった現金格納庫２１０に対しては、上述の渉外員が渉外用現金を入庫させる。こうした営業店内での渉外用現金の入庫処理を完了した渉外員は、タブレット端末１００と共に手持金庫２００を車両等に積み込み、渉外先に赴くことになる。
【００５９】
−−−処理手順例２−−−
次に、顧客先すなわち渉外先での現金オンライン取引の処理について図に基づき説明する。図７は、本実施形態における渉外現金処理方法の処理手順例２を示すフロー図である。上述の渉外員は、現金格納庫２１０に渉外用現金を入庫させた手持金庫２００と共に、タブレット端末１００を携行し、渉外先に到着して顧客と対面したとする。この時、渉外員は、タブレット端末１００における渉外現金処理に対応した所定画面９００（予め記憶装置１０１にて保持している。以下同様）を呼び出して入出力装置１０５にて表示させる。この画面９００は、図９に例示するように、ＡＴＭでの初期画面のように、カード操作と暗証番号の入力を促すメッセージが記載されたものとなる。
【００６０】
タブレット端末１００にて表示された画面９００を閲覧した顧客は、例えばキャッシュカードの磁気ないしＩＣチップの読み取り動作を、タブレット端末１００と接続されたカードリーダー１８０にて行う。またこの顧客は、タブレット端末１００における画面９００において、番号ボタンを押下して暗証番号を入力する。
【００６１】
一方、タブレット端末１００は、上述のカードリーダー１８０から顧客のキャッシュカード等からの読み取り情報（キャッシュカードに対応する口座情報が少なくとも含まれている）と、画面９００における暗証番号の入力情報とを取得し、これらを含む顧客認証要求を、営業店サーバ３００に送信する（ｓ２００）。顧客認証要求を受信した営業店サーバ３００は、これを内部ネットワーク３０を介して勘定系ホスト４００に送信する（ｓ２０１）。
【００６２】
他方、顧客認証要求を受信した勘定系ホスト４００は、口座情報と暗証番号のセットを、元帳データベース４２５に照合し、元帳データベース４２５にて上述のセットと完全一致するデータ有無を判定する（ｓ２０２）。勘定系ホスト４００は、ここでの判定結果を認証処理結果として営業店サーバ３００に返す（ｓ２０３）。
【００６３】
営業店サーバ３００は勘定系ホスト４００から返ってきた上述の認証処理結果を、タブレット端末１００に転送する（ｓ２０４）。
【００６４】
この場合、タブレット端末１００は、上述の認証処理結果を営業店サーバ３００から受信し、その認証処理結果が認証成功の応答であった場合（ｓ２０５：ＯＫ）、上述の所定口座に関する入出金内容を受け付ける画面１０００（図１０参照）を呼び出して入出力装置１０５にて表示させる（ｓ２０６）。
【００６５】
タブレット端末１００にて表示された画面１０００を閲覧した顧客は、この画面１０００において、所望する取引である「引き出し」あるいは「預け入れ」のボタンを押下し、更に、番号ボタンを押下して「１００００」円などと入出金の金額を入力する。タブレット端末１００は、画面１０００を介して、出金（引き出し）ないし入金（預け入れ）の指定事象と、その金額（入出金額）の各情報を受け付け、ここで受け付けた情報と上述のステップｓ２００で得ている口座情報とを含む現金取引要求を、営業店サーバ３００に送信する（ｓ２０７）。
【００６６】
この場合、上述の現金取引要求をタブレット端末１００から受信した営業店サーバ３００は、役席端末５００に対して上述の現金取引要求に関する適正性の判断を依頼する、取引承認依頼を通知する（ｓ２０８）。役席者による承認可否判断結果は、役席端末５００から営業店サーバ３００に返信される（ｓ２０９）。一方、営業店サーバ３００は、役席端末５００からの承認可否判断結果を受信し、これをタブレット端末１００に返す（ｓ２１０）。
【００６７】
続いてタブレット端末１００は、営業店サーバ３００より上述の承認可否判断結果を取得し、この承認可否判断結果が該当現金取引要求を承認するものであった場合（ｓ２１１：ＯＫ）、この現金取引要求が示す該当顧客の所定口座に関する入出金の処理を、営業店サーバ３００に指示すると共に、手持金庫２００の解錠に向けて、リーダー装置１４０による渉外員の生体情報（認証情報）の読み取り結果を取得し、この渉外員の生体情報に関する渉外員認証要求を営業店サーバ３００に送信する（ｓ２１２）。
【００６８】
一方、営業店サーバ３００は、上述した入出金の処理に関する指示を受信し、これを内部ネットワーク３０を介して勘定系ホスト４００に送信する（ｓ２１３）。他方、これを受信した勘定系ホスト４００は、この指示、すなわち現金取引要求が示す所定口座に関し、同じく現金取引要求が示す額の入出金の処理を、上述の元帳データベース４２５において実行する（ｓ２１４）。また、勘定系ホスト４００は、上述の元帳データベース４２５における入出金の処理結果を営業店サーバ３００に返す（ｓ２１５）。一方、営業店サーバ３００は勘定系ホスト４００から返ってきた上述の入出力処理の結果を、タブレット端末１００に転送する（ｓ２１６）。
【００６９】
また、営業店サーバ３００は、上述のステップｓ２１２でタブレット端末１００から送信されてきた渉外員認証要求を受信し、この渉外員認証要求が含む生体情報を生体認証テーブル３２５に照合して、一致するレコードの有無を判定し、その判定結果を認証結果としてタブレット端末１００に返す（ｓ２１７）。
【００７０】
この場合、タブレット端末１００は、上述の渉外員認証要求に対して営業店サーバ３００から認証成功の結果を受信した場合（ｓ２１８：ＯＫ）、手持金庫２００の通信装置２０７に対して解錠指示を送信する（ｓ２１９）。他方、上述の渉外員認証要求に対して営業店サーバ３００から認証不成功の結果を受信した場合（ｓ２１８：ＮＧ）、タブレット端末１００は以降の処理を終了する。
【００７１】
他方、手持金庫２００は、上述のタブレット端末１００からの解錠指示を通信装置２０７を介して受信し、当該解錠指示の受信に応じてロック機構２１５に対する解錠指令を行って、現金格納庫２１０の開閉扉２１１を解錠させる。開閉扉２１１が解錠され、開放自在となった現金格納庫２１０においては、上述の渉外員が、顧客からの現金取引要求に応じた金額の現金を取り出すか、或いは入庫させる。こうした渉外先での現金の引き出しや預け入れ等の処理を終えた渉外員は、タブレット端末１００と共に手持金庫２００を車両等に積み込み、営業店に帰店することになる。
【００７２】
−−−処理手順例３−−−
次に、渉外員が営業店帰店後に行う作業に伴う処理について図に基づき説明する。図８は、本実施形態における渉外現金処理方法の処理手順例３を示すフロー図である。渉外先の顧客に関して上述のように現金の引き出しや預け入れの処理を完了し、営業店における帰店した渉外員は、手持金庫２００に残されている現金、すなわち残り現金に関して回金オペレーションを実行する必要がある。
【００７３】
そこで渉外員は、手持金庫２００にて現在格納している残り現金の金額情報を、タブレット端末１００にて入力する作業を行う。この時、タブレット端末１００は、手持金庫２００における残り現金の金額情報に関する入力を入出力装置１０５で受け付けて、当該金額情報と手持金庫２００の識別情報とを営業店サーバ３００に送信する（ｓ３００）。
【００７４】
一方、タブレット端末１００から上述の残り現金に関する金額情報と手持金庫２００の識別情報を受信した営業店サーバ３００は、これを内部ネットワーク３０を介して勘定系ホスト４００に送信する（ｓ３０１）。また、これを受信した勘定系ホスト４００は、該当手持金庫２００に装填された渉外用現金の金額（渉外先に渉外員が赴く前に勘定系ホスト４００に登録された金額）に関し、上述の現金取引要求に応じて処理した引き出し金額を減算、ないし預け入れの金額を加算した額に対して、上述の手持金庫２００における残り現金の金額を消し込み処理する（ｓ３０２）。この処理が齟齬無く成功裏に完了することは、営業店の現金のうち顧客からの現金取引要求に応じて渉外先で手持金庫２００から引き出された現金以外、すなわち手持金庫２００での残り現金が間違いなく営業店に回金されたことを意味する。勘定系ホスト４００は、この処理の結果を営業店サーバ３００を介してタブレット端末１００に送信する（ｓ３０３）。
【００７５】
また、タブレット端末１００は、上述した勘定系ホスト４００における消込処理の内容情報を、営業店サーバ３００を介して受信し、当該内容情報を示す装填帳票を、自身の備える、或いは所定インターフェイスを介して接続された印刷装置１５０にて出力する（ｓ３０４）。この装填帳票は、営業店における所定管理者に手交される。
【００７６】
上述の渉外員は、営業店における持ち帰った手持金庫２００から残り現金を実際に取り出し、これを営業店の出納機３６０に入金する作業を行う必要がある。そこで、この渉外員は手持金庫２００を解錠すべく、まず、タブレット端末１００を操作して、当該渉外員の生体情報（認証情報）の読み取り動作と、これに基づく渉外員認証要求の指示を行うことになる。
【００７７】
この場合、タブレット端末１００は、上述したリーダー装置１４０による該当渉外員の生体情報（認証情報）の読み取り結果を取得し、この渉外員の生体情報に関する渉外員認証要求を内部ネットワーク３０を介して営業店サーバ３００に送信する（ｓ３０５）。
【００７８】
一方、タブレット端末１００から渉外員認証要求を受信した営業店サーバ３００は、渉外員認証要求が含む生体情報を生体認証テーブル３２５に照合して、一致するレコードの有無を判定し、その判定結果を認証結果としてタブレット端末１００に返す（ｓ３０６）。
【００７９】
また、タブレット端末１００は、上述の渉外員認証要求に対して営業店サーバ３００から認証成功の結果を受信した場合（ｓ３０７：ＯＫ）、手持金庫２００の通信装置２０７に対して解錠指示を送信する（ｓ３０８）。他方、渉外員認証要求に対して営業店サーバ３００から認証不成功の結果を受信した場合（ｓ３０７：ＮＧ）、タブレット端末１００は処理を終了する。
【００８０】
なお、渉外員は、上述の解錠指示に応じて開閉扉２１１を開放した手持金庫２００から、残り現金を取り出すことが出来る。残り現金を手持金庫２００から取り出した渉外員は、これを出納機３６０に入金することになる。出納機３６０は、上述の渉外員の操作により、渉外先から持ち帰られた残り現金の入金を受け付けた際、当該現金の入金受付内容を示す出納レシートを、上述の印刷装置３６５にて出力する（ｓ３０９）。この出納機レシートは、営業店における所定管理者に手交される。
【００８１】
残り現金を出納機３６０に入金した渉外員は、上述した営業店端末３５０を再び操作して、営業店に持ち帰られた上述の手持金庫２００から回収された現金、すなわち残り現金に関する回金処理を行う。この時、営業店端末３５０は、渉外員による残り現金に関する回金処理に伴って、印刷装置３５５にて回金伝票を出力する（ｓ３１０）。この回金伝票は、営業店における所定管理者に手交される。
【００８２】
渉外員が営業店に帰店して以降、ここまでの処理により、上述した所定管理者は、回金伝票、出納機レシート、および装填帳票を手にしていることになる。この管理者は、回金伝票、出納機レシート、および装填帳票の印字内容を認識し、その金額推移の整合性についてチェックする。つまり、どこかの手順にて現金が紛失していないか数値により確認することが出来る。
【００８３】
以上、本発明を実施するための最良の形態などについて具体的に説明したが、本発明はこれに限定されるものではなく、その要旨を逸脱しない範囲で種々変更可能である。
【００８４】
こうした本実施形態によれば、渉外先でのセキュアな現金入出金サービスを低コストかつ簡便に導入可能となる。
【００８５】
本明細書の記載により、少なくとも次のことが明らかにされる。すなわち、本実施形態の渉外現金処理システムにおいて、他装置と通信する通信装置と、現金を格納する現金格納庫と、前記現金格納庫の開閉扉における施錠と解錠を制御するロック機構と、前記渉外端末からの前記解錠指示を前記通信装置を介して受信し、当該解錠指示の受信に応じて前記ロック機構に対する解錠指令を行って、前記現金格納庫の開閉扉を解錠させる処理を実行する演算装置と、を備えた手持金庫を更に含むとしてもよい。
【００８６】
これによれば、渉外端末と連動する手持金庫がシステム構成に含まれることとなり、渉外先でのセキュアな現金入出金サービスに伴うデータ処理効率が向上することとなる。また手持金庫は、渉外員が手持ちで搬送可能なごく小型の金庫筐体に、従来から存在する開閉扉のオートロック機能や、通信機能を付加する程度で構成可能であり、そのため導入コストが低廉であり、簡便に導入可能である。このように小サイズでシンプルな構造の手持金庫は可搬性や取り扱い性に優れるため、渉外現金処理サービスの提供容易性に悪影響を及ぼす懸念が少ない。更に、渉外端末からの指示が無い限りは開閉扉を解錠することもなく、格納する現金の管理をセキュアに行うことも出来る。
【００８７】
また、本実施形態の渉外現金処理システムにおいて、前記金融機関において、前記渉外用現金の用意に伴う回金処理を、前記所定サーバとの間で実行する端末であって、前記渉外用現金に関する回金処理に伴う回金伝票を所定印刷装置にて出力する営業店端末と、前記営業店端末による回金処理がなされた金額の現金払い出し処理を行う装置であって、前記現金払い出しの内容情報を示す出納レシートを所定印刷装置にて出力する出納機と、を更に含み、前記渉外端末の演算装置は、前記渉外用現金の金額情報と、当該渉外用現金の装填先となる手持金庫の識別情報とを前記所定サーバに送信し登録した際に、当該登録の内容情報を前記所定サーバから受信し、当該内容情報を示す装填帳票を所定印刷装置にて出力する処理を更に実行するものである、としてもよい。
【００８８】
これによれば、渉外員が手持金庫を携行して渉外先を訪問するための前準備に際し、営業店端末における渉外用現金の回金処理、出納機における渉外用現金の払い出し、および、渉外端末における装填処理（回金処理して手持金庫に格納予定の現金に関する情報を、営業店サーバを介して勘定系ホストに登録する処理）、の全ての処理に関する履歴を伝票等として出力し、これらの履歴間の数値の整合性について上述の渉外員の上長など適宜な管理者にチェックさせることが可能となる。つまり、いずれかの処理に伴って不正行為や誤操作が行われていないか、責任ある管理者による確認を受けることができ、渉外現金処理のセキュア度が更に高まる。
【００８９】
また、本実施形態の渉外現金処理システムにおいて、前記渉外端末の演算装置は、前記金融機関に持ち帰られた時点で前記手持金庫が格納している現金の金額情報と前記手持金庫の識別情報とを前記金融機関の所定サーバに送信し、前記渉外用現金の金額情報の消込処理を実行した際に、当該消込処理の内容情報を前記所定サーバから受信し、当該内容情報を示す装填帳票を所定印刷装置にて出力する処理を更に実行するものであり、前記出納機は、前記金融機関に持ち帰られた前記手持金庫から回収された現金の入金を受け付けた際、当該現金の入金受付内容を示す出納レシートを所定印刷装置にて出力する処理を更に実行するものであり、前記営業店端末は、前記金融機関に持ち帰られた前記手持金庫から回収された現金に関する回金処理に伴う回金伝票を所定印刷装置にて出力する処理を更に実行するものである、としてもよい。
【００９０】
これによれば、渉外員が手持金庫を携行して金融機関に戻った際の帰店後処理に際し、渉外端末における渉外用現金の金額情報の消込処理、出納機における手持金庫から回収された現金の入金受け付け処理、営業店端末における手持金庫から回収された現金に関する回金処理、の全ての処理に関する履歴を伝票等として出力し、これらの履歴間の数値の整合性について上述の渉外員の上長など適宜な管理者にチェックさせることが可能となる。つまり、いずれかの処理に伴って不正行為や誤操作が行われていないか、責任ある管理者による確認を受けることができ、渉外現金処理のセキュア度がより一層高まる。
【符号の説明】
【００９１】
１０  渉外現金処理システム
２０  セキュア広域回線網
３０  内部ネットワーク
１００  タブレット端末（渉外端末）
１０１  記憶装置
１０２  プログラム
１０３  メモリ
１０４  演算装置
１０５  入出力装置
１０６  通信装置
１４０  リーダー装置
１５０  印刷装置
１８０  カードリーダー
２００  手持金庫
２０１  記憶装置
２０２  プログラム
２０３  メモリ
２０４  演算装置
２０５  入力装置
２０６  出力装置
２０７  通信装置
２１０  現金格納庫
２１１  開閉扉
２１５  ロック機構
２１６  センサ
３００  営業店サーバ
３１０  生体認証プログラム
３２５  生体認証テーブル
３５０  営業店端末
３６０  出納機
４００  勘定系ホスト
４２５  元帳データベース
５００  役席端末
【図１】
2015122034.tif 000003
【図２】
2015122034.tif 000004
【図３】
2015122034.tif 000005
【図４】
2015122034.tif 000006
【図５】
2015122034.tif 000007
【図６】
2015122034.tif 000008
【図７】
2015122034.tif 000009
【図８】
2015122034.tif 000010
【図９】
2015122034.tif 000011
【図１０】
2015122034.tif 000012